(57)【要約】【課題】  信号ラインが共通に配線された複数の液晶表示パネルを有する液晶表示装置において、消費電力の削減を図ることであって、特に、複数の液晶表示パネルの内、一の液晶表示パネルを非表示状態とする場合や、各液晶表示パネルの信号ライン数が異なる場合に、各信号ラインと各液晶表示パネルの共通ライン（補助容量ライン）との間に形成される寄生容量による消費電力を抑制すること。【解決手段】  信号ラインが共通に配線された２つの液晶表示パネルを備える液晶表示装置において、非表示状態の液晶表示パネルの共通電圧ＶCOM1を、他方の表示状態の液晶表示パネルの共通電圧ＶCOM2と同一電圧とするとともに、該非表示状態の液晶表示パネルの走査期間において、信号ラインＳに印加する表示信号を他方の表示状態の液晶表示パネルの共通電圧ＶCOM2と同一電圧の信号とする。【選択図】図４
2006072214.tif 000002
【特許請求の範囲】
【請求項１】
複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する複数の対向電極駆動手段と、
前記複数の液晶表示パネルの何れかの液晶表示パネルを非表示状態に設定し、他の液晶表示パネルを表示状態に設定し、該非表示状態の液晶表示パネルの走査期間の間、該非表示状態の液晶表示パネルの前記対向電極の電位、及び、前記共通に配線された信号ラインの電位が同電圧となるように制御する制御手段と、
を備えることを特徴とする液晶表示装置。
【請求項２】
前記制御手段は、前記非表示状態の液晶表示パネルの走査期間の間、該非表示状態の液晶表示パネルの前記対向電極及び信号ラインに、前記他の表示状態の液晶表示パネルの対向電極信号と同電圧の信号電圧を印加させることを特徴とする請求項１に記載の液晶表示装置。
【請求項３】
前記制御手段は、前記他の表示状態の液晶表示パネルの走査期間の間、前記非表示状態の液晶表示パネルの対向電極に、前記表示状態の液晶表示パネルの対向電極信号と同電圧の信号電圧を印加させることを特徴とする請求項１に記載の液晶表示装置。
【請求項４】
前記複数の対向電極駆動手段の各々は前記各液晶表示パネルの駆動に適する対向電極信号を生成し、前記制御手段は、前記走査期間毎に、前記各液晶表示パネルの対向電極への対向電極信号の印加を、前記複数の対向電極駆動手段の何れかに切り替える手段を備えることを特徴とする請求項２又は３の何れかに記載の液晶表示装置。
【請求項５】
前記制御手段は、前記非表示状態の液晶表示パネルの走査期間の間、前記共通に配線された信号ラインをハイインピーダンス状態とするよう前記信号側駆動手段を制御することを特徴とする請求項１に記載の液晶表示装置。
【請求項６】
前記信号側駆動手段は、前記非表示状態の液晶表示パネルをリフレッシュするための表示信号を所定フレーム間隔で前記信号ラインに印加することを特徴とする請求項１〜５の何れかに記載の液晶表示装置。
【請求項７】
前記表示信号は、白表示データであることを特徴とする請求項６に記載の液晶表示装置。
【請求項８】
前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない前記信号ラインを有し、
前記制御手段は、前記一方の液晶表示パネルの走査期間の間、前記他方の液晶表示パネルの共通に配線されていない前記信号ラインに、前記他方の液晶表示パネルの対向電極信号と同電圧の信号を印加させることを特徴とする請求項１に記載の液晶表示装置。
【請求項９】
前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通配線されていない前記信号ラインを有し、
前記制御手段は、前記一方の液晶表示パネルの走査期間の間、前記他方の液晶表示パネルの前記共通に配線されていない前記信号ラインをハイインピーダンス状態とするよう前記信号側駆動手段を制御することを特徴とする請求項１に記載の液晶表示装置。
【請求項１０】
複数の走査ライン及び複数の信号ラインの各交点近傍にマトリクス状に配列され、画素電極及び該画素電極の対向位置に配設された対向電極と、前記対向電極に接続されるとともに前記補助容量電極に接続され、前記複数の信号ラインと交差する複数の共通ラインと、を有する複数の液晶表示パネルを備え、該各液晶表示パネルの複数の信号ラインの少なくとも一部が該各液晶表示パネル間で相互に共通に配線された液晶表示装置を駆動する駆動方法であって、
前記各液晶表示パネルの前記共通ラインに、対向電極信号を所定周期で極性反転させて印加する動作と、
前記複数の液晶表示パネルの何れかの液晶表示パネルを非表示状態に設定し、他の液晶表示パネルを表示状態に設定し、１フレーム期間における前記非表示状態の液晶表示パネルの走査期間の間、該非表示状態の液晶表示パネルの前記対向電極の電位と、前記共通に配線された前記信号ラインの電位とを同電圧とするように制御する動作と、
を含むことを特徴とする液晶表示装置の駆動方法。
【請求項１１】
前記非表示状態の液晶表示パネルの前記対向電極の電位、及び、前記共通に配線された前記信号ラインの電位が同電圧となるように制御する動作は、前記非表示状態の液晶表示パネルの走査期間の間、該非表示状態の液晶表示パネルの前記対向電極及び信号ラインに、前記他の表示状態の液晶表示パネルの対向電極信号と同電圧の信号電圧を印加させるように制御する動作を含むことを特徴とする請求項１０に記載の液晶表示装置の駆動方法。
【請求項１２】
前記非表示状態の液晶表示パネルの前記対向電極の電位、及び、前記共通に配線された前記信号ラインの電位が同電圧となるように制御する動作は、前記非表示状態の液晶表示パネルの走査期間の間、前記共通に配線された信号ラインをハイインピーダンス状態とするように制御する動作を含むことを特徴とする請求項１０に記載の液晶表示装置の駆動方法。
【請求項１３】
前記他の表示状態の液晶表示パネルの走査期間の間、前記非表示状態の液晶表示パネルの対向電極に、前記表示状態の液晶表示パネルの対向電極信号と同電圧の信号電圧を印加させるように制御することを特徴とする請求項１０に記載の液晶表示装置の駆動方法。
【請求項１４】
前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない信号ラインを有し、
前記一方の液晶表示パネルの走査期間の間、前記他方の液晶表示パネルの共通に配線されていない前記信号ラインに、前記他方の液晶表示パネルの対向電極信号と同電圧の信号を印加させる動作を含むことを特徴とする請求項１０に記載の液晶表示装置の駆動方法。
【請求項１５】
前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない前記信号ラインを有し、
前記一方の液晶表示パネルの走査期間の間、前記他方の液晶表示パネルの前記共通に配線されていない前記信号ラインをハイインピーダンス状態とするよう制御する動作を含むことを特徴とする請求項１０に記載の液晶表示装置の駆動方法。
【発明の詳細な説明】
【技術分野】
【０００１】
本発明は、複数の液晶表示パネルを備える液晶表示装置及びその駆動方法に関する。
【背景技術】
【０００２】
携帯電話機やＰＤＡ等の携帯型の電子機器では、表示装置として、軽量化、薄型化、低消費電力化が可能な液晶表示装置が多く用いられている。特に、アクティブ素子としてＴＦＴ（薄膜トランジスタ）を用いたアクティブマトリクス方式の液晶表示装置が多用されている。
【０００３】
かかる液晶表示装置では、液晶表示パネル上に、複数の走査ライン及び複数の信号ラインがそれぞれ直交して配置され、各交点近傍に画素電極を有する表示画素が形成されている。
図２０は、表示画素の構成の一例を示す等価回路図である。同図に示すように、各表示画素は、薄膜トランジスタ（ＴＦＴ）１２と、画素電極１４ａと対向電極１４ｂとの間に液晶が充填されて成る画素容量１４と、画素容量１４と並列接続され、画素容量１４の印加電圧を保持する補助容量１６とから構成される。
【０００４】
より詳細には、薄膜トランジスタ１２のゲート電極１２ａが走査ラインＧに接続され、ソース電極１２ｂが信号ラインＳに接続され、ドレイン電極１２ｃが画素容量１４の画素電極１４ａ及び補助容量１６の一方の電極に接続されている。また、画素容量１４の対向電極１４ｂには、所定の共通電圧（対向電極信号）ＶCOMが印加され、補助容量１６の他方の電極は共通ライン（補助容量ライン）Ｃに接続される。そして、走査ラインＧを介してゲート電極１２ａに高電圧が印加されて薄膜トランジスタ１２がＯＮとなると、画素電極１４ａに信号ラインＳの電圧が印加されることで画素電極１４ａと対向電極１４ｂとの間に電界が形成され、その間に充填されている液晶が駆動される。
【０００５】
尚、液晶表示装置では、表示画像を視覚的に捉えられるようにするため、例えば液晶表示パネルの裏面にＬＥＤ等のバックライトが設けられる。そして、液晶の配列によってバックライトの射出光の透過量が制御されて、各表示画素の輝度が調整される。
【０００６】
また、近年では、メインディスプレイ及びサブディスプレイを備える折り畳み型の携帯電話機に代表されるような複数の液晶表示パネルを備える液晶表示装置も知られている。このような複数の液晶表示パネルを備える液晶表示装置では、構造を簡略化するため、信号ラインを共通にすることが多い。例えば２つの液晶表示パネルを有する場合には、一方の液晶表示パネルに配設した信号ラインを他方の液晶表示パネルに延長して配線し、双方の液晶表示パネルを１つのソースドライバ回路で駆動するように構成される。尚、走査ラインは、液晶表示パネル毎に別個に配線され、各液晶表示パネルの対向電極に印加される共通電圧ＶCOMは、液晶表示パネル毎に生成される（例えば、特許文献１）。
【特許文献１】特開２００４−１６３７９０号公報
【発明の開示】
【発明が解決しようとする課題】
【０００７】
図２１に、信号ラインＳが共通配線された２つの液晶表示パネルを有する液晶表示装置の、１フレーム期間での駆動波形の一例を示す。但し、一方の液晶表示パネル（第１の液晶表示パネル）の走査ライン数を「ｍ１」とし、他方の液晶表示パネル（第２の液晶表示パネル）の走査ライン数を「ｍ２」とする。同図では、横軸を各画面走査期間に対応した時間軸として、上から順に、第１の液晶表示パネルの走査ラインＧ1〜Ｇm1のそれぞれに印加される走査信号、第２の液晶パネルの走査ラインＧm1+1〜Ｇm1+m2のそれぞれに印加される走査信号、信号ラインＳに印加される表示信号、第１の液晶表示パネルの共通ライン（対向電極）に印加される共通電圧ＶCOM1、第２の液晶表示パネルの共通ライン（対向電極）に印加される共通電圧ＶCOM2、を示している。
【０００８】
同図に示すように、各液晶表示パネルに１つの画像を表示させる１フレーム期間は、第１の液晶表示パネルの各走査ラインＧ1〜Ｇm1を走査対象とする第１画面走査期間と、第２の液晶表示パネルの各走査ラインＧm1+1〜Ｇm1+m2を走査対象とする第２画面走査期間と、から成る。
【０００９】
第１画面走査期間では、第１の液晶表示パネルの走査ラインＧ1〜Ｇm1に順に所定幅の高電位パルス（ゲートパルス）が印加され、各走査ラインが順次選択状態とされる。そして、その選択状態とされた走査ラインＧに対応する各表示画素の画素電極に、対応する信号ラインＳの電圧が印加されることで、該走査ラインＧに対応する１ライン分の表示データが書き込まれ、第１の液晶表示パネルへの画像表示が行われる。
【００１０】
このとき、信号ラインＳには、第１の液晶表示パネルに表示させる画像の表示信号が印加されている。また、第１の液晶表示パネルの対向電極には、該第１の液晶表示パネルの特性に応じた共通電圧ＶCOM1が印加され、第２の液晶表示パネルには、該第２の液晶表示パネルの特性に応じた共通電圧ＶCOM2が印加されている。
【００１１】
第２画面走査期間では、第２液晶表示パネルの走査ラインＧm1+1〜Ｇm1+m2に順にゲートパルスが印加され、各走査ラインが順次選択状態とされる。そして、その選択状態とされた走査ラインＧに対応する各表示画素の画素電極に、対応する信号ラインＳの電位が印加されることで、該走査ラインＳに対応する１ライン分の表示データが書き込まれ、第２の液晶表示パネルへの画像表示が行われる。
【００１２】
このとき、信号ラインＳには、第２の液晶表示パネルに表示させる画像の表示信号が印加されている。また、第１の液晶表示パネルの対向電極には共通電圧ＶCOM1が印加され、第２の液晶表示パネルの共通電圧ＶCOM2が印加されている。
【００１３】
このように、２つの液晶表示パネルを有する液晶表示装置では、各液晶表示パネルを交互に走査対象として、所望の画像を表示させる。
【００１４】
ところで、表示画面として複数の液晶表示パネルを備える液晶表示装置では、常に全ての液晶表示パネルが使用される「表示状態」とは限らず、例えば何れか一つの液晶表示パネルが「非表示状態（スタンバイ状態）」とされる場合がある。
【００１５】
具体的には、例えば２つの液晶表示パネルを有する液晶表示装置を携帯電話機等に適用する場合には、一方の液晶表示パネルをメインディスプレイとし、他方の液晶ディスプレイをサブディスプレイとする。そして、携帯電話機の不使用時には、メインディスプレイを「非表示状態」とし、サブディスプレイを「表示状態」としてこれに補助的に時刻等の情報を表示するといった使い方がされる。
【００１６】
「非表示状態」の液晶表示パネルについては、その走査期間において走査ラインの走査（ゲートパルスの印加）を行わずに全面「白表示（ノーマリホワイト方式の場合）」とさせるとともに、そのバックライトを非点灯とすることで消費電力の削減を図っている。しかし、各液晶表示パネルの共通電圧ＶCOMは、その液晶表示パネルが「表示状態」であるか「非表示状態」であるかに関わらずに継続して印加されている。即ち、「非表示状態」であっても、「表示状態」の場合と同様に共通電圧ＶCOMが印加されている。
【００１７】
図２２は、表示画素における寄生容量を示す等価回路図である。同図に示すように、マトリクス方式の液晶表示パネルでは、その構造上、信号ラインＳと共通ラインとが近接する各交点近傍に寄生容量１８が形成されることが知られている。この寄生容量１８には、信号ラインＳと共通ラインＣとの電位差（電圧）がかかるが、その電圧の大きさ（向きを含む）が変化すると寄生容量１８に対する充放電が起こり、それによる電力を消費する。
【００１８】
このため、「非表示状態」の液晶表示パネルにおいて、該液晶表示パネルの共通ラインＣに印加される共通電圧ＶCOMが極性反転する毎に、信号ラインと該共通ラインＣとの間の寄生容量１８で充放電が起こり、電力消費が発生していた。この消費電力は、画像表示には関係の無い無駄な消費電力となっていた。
【００１９】
また、複数の液晶表示パネルを有する液晶表示装置では、各液晶表示パネル毎に配線される信号ライン数が異なることがある。このような場合には、信号ラインが少ない方の液晶表示パネルの信号ラインを他の液晶表示パネルに延長させて配線し、各液晶表示パネルで信号ラインを共通に配線している。
【００２０】
具体的には、図２３に示すように、一方の液晶表示パネルの信号ライン数が他方の液晶表示パネルの信号ライン数より少ない２つの液晶表示パネルを有する場合には、他方の表示パネルに配線された信号ラインＳ1〜Ｓjの内、信号ラインＳ1〜Ｓiが一方の表示パネルに伸延されて配線される。即ち、信号ラインＳ1〜Ｓiが２つの液晶表示パネルに共通配線され、残りの信号ラインＳi+1〜Ｓjは他方の表示パネルのみに配線される構造となっている。また、一方の液晶表示パネルの共通ラインＣ１には、該一方の液晶表示パネルの特性に応じた共通電圧ＶCOM1が印加され、他方の液晶表示パネルの共通ラインＣ２には、該他方の液晶表示パネルの特性に応じた共通電圧ＶCOM2が印加される。
【００２１】
そして、信号ライン数が少ない一方の液晶表示パネルの走査期間では、表示させる画像の表示信号が信号ラインＳ1〜Ｓiに印加され、該液晶表示パネルに配線されていない信号ラインＳi+1〜Ｓjについては、不使用でありその電圧は任意とされる。
【００２２】
しかしこのとき、他方の液晶表示パネルの共通電圧ＶCOM2の極性反転に伴って、不使用の信号ラインＳi+1〜Ｓjと共通ラインＣ２との間の寄生容量１８で充放電が起こり、電力消費が発生していた。これもまた、画像表示に関係の無い無駄な消費電力となっていた。
【００２３】
上記事情に鑑みて本発明は為されたのであり、その目的は、信号ラインが共通に配線された複数の液晶表示パネルを備える液晶表示装置において、消費電力の削減を図ることであって、特に、複数の液晶表示パネルの内、一の液晶表示パネルが非表示状態の場合や、各液晶表示パネルの信号ライン数が異なる場合に、各信号ラインと各液晶表示パネルの共通ライン（補助容量ライン）との間に形成される寄生容量による消費電力を抑制することである。
【課題を解決するための手段】
【００２４】
上記課題を解決するために、請求項１に記載の発明は、複数の走査ライン及び複数の信号ラインの各交点近傍にマトリクス状に配列され、画素電極及び該画素電極に接続される補助容量電極を有する複数の画素と、該各画素電極の対向位置に配設された対向電極と、前記対向電極に接続されるとともに前記補助容量電極に接続され、前記複数の信号ラインと交差する複数の共通ラインと、を有する複数の液晶表示パネルを備える液晶表示装置において、
前記各液晶表示パネルの複数の信号ラインの少なくとも一部は、該各液晶表示パネル間で相互に共通に配線され、
前記各液晶表示パネルの前記共通ラインに、所定周期で極性反転する対向電極信号を印加する複数の対向電極駆動手段と、
前記複数の液晶表示パネルの何れかの液晶表示パネルを非表示状態に設定し、他の液晶表示パネルを表示状態に設定し、該非表示状態の液晶表示パネルの走査期間の間、該非表示状態の液晶表示パネルの前記対向電極の電位、及び、前記共通に配線された信号ラインの電位が同電圧となるように制御する制御手段と、
を備えることを特徴とする。
【００２５】
請求項２に記載の発明は、請求項１に記載の液晶表示装置において、前記制御手段は、前記非表示状態の液晶表示パネルの走査期間の間、該非表示状態の液晶表示パネルの前記対向電極及び信号ラインに、前記他の表示状態の液晶表示パネルの対向電極信号と同電圧の信号電圧を印加させることを特徴とする。
【００２６】
請求項３に記載の発明は、請求項１に記載の液晶表示装置において、前記制御手段は、前記他の表示状態の液晶表示パネルの走査期間の間、前記非表示状態の液晶表示パネルの対向電極に、前記表示状態の液晶表示パネルの対向電極信号と同電圧の信号電圧を印加させることを特徴とする。
【００２７】
請求項４に記載の発明は、請求項２又は３の何れかに記載の液晶表示装置において、前記複数の対向電極駆動手段の各々は前記各液晶表示パネルの駆動に適する対向電極信号を生成し、前記制御手段は、前記走査期間毎に、前記各液晶表示パネルの対向電極への対向電極信号の印加を、前記複数の対向電極駆動手段の何れかに切り替える手段を備えることを特徴とする。
【００２８】
請求項５に記載の発明は、請求項１に記載の液晶表示装置において、前記制御手段は、前記非表示状態の液晶表示パネルの走査期間の間、前記共通に配線された信号ラインをハイインピーダンス状態とするよう前記信号側駆動手段を制御することを特徴とする。
【００２９】
請求項６に記載の発明は、請求項１〜５の何れかに記載の液晶表示装置において、前記信号側駆動手段は、前記非表示状態の液晶表示パネルをリフレッシュするための表示信号を所定フレーム間隔で前記信号ラインに印加することを特徴とする。
【００３０】
請求項７に記載の発明は、請求項６に記載の液晶表示装置において、前記表示信号は、白表示データであることを特徴とする。
【００３１】
請求項８に記載の発明は、請求項１に記載の液晶表示装置において、前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない前記信号ラインを有し、
前記制御手段は、前記一方の液晶表示パネルの走査期間の間、前記他方の液晶表示パネルの共通に配線されていない前記信号ラインに、前記他方の液晶表示パネルの対向電極信号と同電圧の信号を印加させることを特徴とする。
【００３２】
請求項９に記載の発明は、請求項１に記載の液晶表示装置において、前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通配線されていない前記信号ラインを有し、
前記制御手段は、前記一方の液晶表示パネルの走査期間の間、前記他方の液晶表示パネルの前記共通に配線されていない前記信号ラインをハイインピーダンス状態とするよう前記信号側駆動手段を制御することを特徴とする。
【００３３】
請求項１０に記載の発明は、複数の走査ライン及び複数の信号ラインの各交点近傍にマトリクス状に配列され、画素電極及び該画素電極の対向位置に配設された対向電極と、前記対向電極に接続されるとともに前記補助容量電極に接続され、前記複数の信号ラインと交差する複数の共通ラインと、を有する複数の液晶表示パネルを備え、該各液晶表示パネルの複数の信号ラインの少なくとも一部が該各液晶表示パネル間で相互に共通に配線された液晶表示装置を駆動する駆動方法であって、
前記各液晶表示パネルの前記共通ラインに、対向電極信号を所定周期で極性反転させて印加する動作と、
前記複数の液晶表示パネルの何れかの液晶表示パネルを非表示状態に設定し、他の液晶表示パネルを表示状態に設定し、１フレーム期間における前記非表示状態の液晶表示パネルの走査期間の間、該非表示状態の液晶表示パネルの前記対向電極の電位と、前記共通に配線された前記信号ラインの電位とを同電圧とするように制御する動作と、
を含むことを特徴とする。
【００３４】
請求項１１に記載の発明は、請求項１０に記載の液晶表示装置の駆動方法において、前記非表示状態の液晶表示パネルの前記対向電極の電位、及び、前記共通に配線された前記信号ラインの電位が同電圧となるように制御する動作は、前記非表示状態の液晶表示パネルの走査期間の間、該非表示状態の液晶表示パネルの前記対向電極及び信号ラインに、前記他の表示状態の液晶表示パネルの対向電極信号と同電圧の信号電圧を印加させるように制御する動作を含むことを特徴とする。
【００３５】
請求項１２に記載の発明は、請求項１０に記載の液晶表示装置の駆動方法において、前記非表示状態の液晶表示パネルの前記対向電極の電位、及び、前記共通に配線された前記信号ラインの電位が同電圧となるように制御する動作は、前記非表示状態の液晶表示パネルの走査期間の間、前記共通に配線された信号ラインをハイインピーダンス状態とするように制御する動作を含むことを特徴とする。
【００３６】
請求項１３に記載の発明は、請求項１０に記載の液晶表示装置の駆動方法において、前記他の表示状態の液晶表示パネルの走査期間の間、前記非表示状態の液晶表示パネルの対向電極に、前記表示状態の液晶表示パネルの対向電極信号と同電圧の信号電圧を印加させるように制御することを特徴とする。
【００３７】
請求項１４に記載の発明は、請求項１０に記載の液晶表示装置の駆動方法において、前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない信号ラインを有し、
前記一方の液晶表示パネルの走査期間の間、前記他方の液晶表示パネルの共通に配線されていない前記信号ラインに、前記他方の液晶表示パネルの対向電極信号と同電圧の信号を印加させる動作を含むことを特徴とする。
【００３８】
請求項１５に記載の発明は、請求項１０に記載の液晶表示装置の駆動方法において、前記複数の液晶表示パネルは、前記複数の信号ラインの数が異なる２つの液晶表示パネルからなり、一方の液晶表示パネルの前記信号ラインの数は他方の液晶表示パネルの前記信号ラインの数より少なく、該他方の液晶表示パネルは相互に共通に配線されていない前記信号ラインを有し、
前記一方の液晶表示パネルの走査期間の間、前記他方の液晶表示パネルの前記共通に配線されていない前記信号ラインをハイインピーダンス状態とするよう制御する動作を含むことを特徴とする。
【発明の効果】
【００３９】
本発明によれば、信号ラインが共通に配線された複数の液晶表示パネルを備える液晶表示装置において、複数の表示パネルの内、一の液晶表示パネルが非表示状態の場合や、各液晶表示パネルの信号ライン数が異なる場合に、非表示状態の液晶表示パネルの各信号ラインの電位と共通ライン（補助容量ライン）の電位とを同電位として各信号ラインと共通ラインとの間に形成される寄生容量による電力消費を抑制し、液晶表示パネルの駆動にかかる消費電力を削減できる。
【発明を実施するための最良の形態】
【００４０】
以下、図面を参照して、本発明に好適な実施形態を説明する。以下では、複数の信号ライン（ソースライン）を共通とする２つの液晶表示パネルを有する液晶表示装置を説明する。尚、以下においては、ソースドライバ回路やゲートドライバ回路を含む１つのドライバ回路を２つの液晶表示パネルで共用するように構成した場合を説明するが、本発明はこれに限定されるものではなく、例えば１つのソースドライバ回路が２つの液晶表示パネルで共用され、液晶表示パネルそれぞれに専用のゲートドライバ回路が設けられる構成等としても良い。
【００４１】
先ず、本実施形態における液晶表示装置の概略構成を説明する。
図１は、本実施形態における液晶表示装置１の概略構成図である。同図に示すように、液晶表示装置１は、２つの表示画面を有するものであり、第１画面としての液晶表示パネル１０Ａと、第２画面としての液晶表示パネル１０Ｂとを備えている。液晶表示パネル１０Ａ，１０Ｂは、例えばフレキシブルプリント基板ＦＰＣを介して電気的に接続されている。また、液晶表示パネル１０Ｂ側に、後述するソースドライバ回路（信号側駆動手段）やゲートドライバ回路（走査側駆動手段）、ＶＣＯＭ回路（対向電極駆動手段）を含むドライバ回路（駆動回路）２０が設けられており、これによって液晶表示パネル１０Ａ，１０Ｂの双方が駆動される。
このような液晶表示装置１に適用される２つの実施形態を、以下、順に説明する。
【００４２】
［第１実施形態］
図２は、第１実施形態における液晶表示装置１の全体構成を示すブロック図である。同図に示すように、第１実施形態では、液晶表示装置１は、液晶表示パネル１０Ａ，１０Ｂと、ソースドライバ回路２２と、ソース切替回路２３Ａと、ゲートドライバ回路２４Ａ，２４Ｂと、ＶＣＯＭ回路２６Ａ，２６Ｂと、ＶＣＯＭ切替回路２７Ａ，２７Ｂと、反転ＲＧＢ発生回路３０と、ＬＣＤコントローラ４０Ａと、を備えて構成される。尚、ソースドライバ回路２２やソース切替回路２３Ａ、ゲートドライバ回路２４Ａ，２４Ｂ、ＶＣＯＭ回路２６Ａ，２６Ｂ、ＶＣＯＭ切替回路２７Ａ，２７Ｂは、図１のドライバ回路２０に含まれるものである。
【００４３】
図３は、各液晶表示パネルの等価回路を示す回路構成図である。同図に示すように、液晶表示パネル１０Ａには、ゲートドライバ回路２４Ａに接続された「ｍ１」本の走査ラインＧ1〜Ｇm1が配置（配線）されているとともに、この走査ラインＧ1〜Ｇm1と直交するように、ソース切替回路２３Ａに接続された「ｋ」本の信号ラインＳ1〜Ｓkが配置されている。そして、走査ラインＧ1〜Ｇm1と信号ラインＳ1〜Ｓkとの各交点近傍には、アクティブ素子である薄膜トランジスタ（ＴＦＴ）１２と、画素電極−対向電極間に液晶が充填されて成る画素容量（液晶容量）１４と、画素容量１４と並列に設けられ、画素容量１４に印加された信号電圧を保持する補助容量１６と、から構成される表示画素が形成されている。即ち、液晶表示パネル１０Ａには、画素数「ｋ×ｍ１」の第１画面が形成されている。
【００４４】
より詳細には、画素容量１４は、画素電極が薄膜トランジスタ１２を介して走査ラインＧ及び信号ラインＳに接続され、対向電極が共通ライン（補助容量ライン）Ｃ１に接続され、ＶＣＯＭ切替回路２７Ａから出力される共通電圧（対向電極信号）ＶCOM1が対向電極及び共通ラインＣ１に印加されている。
【００４５】
そして、走査ラインＧ1〜Ｇm1が順次高電位とされて選択状態となると、対応する各表示画素の薄膜トランジスタ１２がＯＮになり、該各表示画素に対応する信号ラインＳ1〜Ｓkの電位が印加されることで１ライン分の表示データが書き込まれ、１つの画像が液晶表示パネル１０Ａに表示される。
【００４６】
また、液晶表示パネル１０Ｂには、ゲートドライバ回路２４Ｂに接続された「ｍ２」本の走査ラインＧm1+1〜Ｇm1+m2が配置されているとともに、この走査ラインＧm1+1〜Ｇm1+m2と直交するように、ソース切替回路２３Ａに接続された「ｋ」本の信号ラインＳ1〜Ｓkが配置されている。そして、走査ラインＧm1+1〜Ｇm1+m2と信号ラインＳ1〜Ｓkとの各交点近傍には、液晶表示パネル１０Ａと同様に、薄膜トランジスタ１２と、画素容量１４と、補助容量１６と、から構成される表示画素が形成されている。即ち、液晶表示パネル１０Ｂには、画素数「ｋ×ｍ２」の第２画面が形成されている。また、各画素容量１４の対向電極は共通ラインＣ２が接続され、ＶＣＯＭ切替回路２７Ｂから出力される共通電圧（対向電極信号）ＶCOM2が対向電極及び共通ラインＣ２に印加されている。
【００４７】
また、液晶表示パネル１０Ｂに配線されている信号ラインＳ1〜Ｓkは、例えばフレキシブルプリント基板ＦＰＣを介して液晶表示パネル１０Ａに延長して配線されている。即ち、第１実施形態では、ソース切替回路２３Ａに接続された信号ラインＳ1〜Ｓkが液晶表示パネル１０Ａ，１０Ｂに共通して配線されている。
【００４８】
図２において、反転ＲＧＢ発生回路３０は、液晶表示装置１の外部から入力される映像信号から、水平同期信号Ｈ、垂直同期信号Ｖ及びコンポジット同期信号ＣＳＹを抽出してＬＣＤコントローラ４０Ａに出力する。また、映像信号に含まれるＲＧＢの各色信号（ＲＧＢ信号）を抽出し、ＬＣＤコントローラ４０Ａから入力される反転制御信号ＦＲＰに基づいてＲＧＢ信号の極性を周期的に反転させてＲＧＢ反転信号（輝度信号）を生成し、ソースドライバ回路２２に出力する。
【００４９】
ＬＣＤコントローラ４０Ａは、反転ＲＧＢ発生回路３０から入力される水平同期信号Ｈ、垂直同期信号Ｖ及びコンポジット同期信号ＣＳＹに基づいて、映像信号に基づく画像を液晶表示パネル１０Ａ，１０Ｂに表示させるための制御を行う。
【００５０】
具体的には、ＬＣＤコントローラ４０Ａは、信号ラインＳ1〜Ｓkに印加する表示信号の極性反転を制御する反転制御信号ＦＲＰを生成して反転ＲＧＢ発生回路３０に出力する。また、液晶表示パネル１０Ａの特性に応じた共通電圧ＶCOMAの極性反転を制御する反転制御信号ＦＲＰ１を生成してＶＣＯＭ回路２６Ａに出力するとともに、液晶表示パネル１０Ｂの特性に応じた共通電圧ＶCOMBの極性反転を制御する反転制御信号ＦＲＰ２を生成してＶＣＯＭ回路２６Ｂに出力する。
【００５１】
また、ＬＣＤコントローラ４０Ａは、信号ラインＳ1〜Ｓkへの表示信号の印加タイミングを制御する水平制御信号ＨＣを生成してソースドライバ回路２２に出力する。また、走査ラインＧ1〜Ｇm1への走査信号（ゲートパルス）の印加タイミングを制御する垂直制御信号ＶＣ１を生成してゲートドライバ回路２４Ａに出力するとともに、走査ラインＧm1+1〜Ｇm1+m2への走査信号（ゲートパルス）の印加タイミングを制御する垂直制御信号ＶＣ２を生成してゲートドライバ回路２４Ｂに出力する。
【００５２】
更に、ＬＣＤコントローラ４０Ａは、共通電圧ＶCOMA，ＶCOMBのどちらを共通電圧ＶCOM1として液晶表示パネル１０Ａの共通ラインＣ１に印加させるかを制御するＶＣＯＭ切替信号ＶＳ１を生成してＶＣＯＭ切替回路２７Ａに出力するとともに、共通電圧ＶCOMA，ＶCOMBのどちらを共通電圧ＶCOM2として液晶表示パネル１０Ｂの共通ラインＣ２に印加させるかを制御するＶＣＯＭ切替信号ＶＳ２を生成してＶＣＯＭ切替回路２７Ｂに出力する。また、ＲＧＢ反転信号、共通電圧ＶCOMA，ＶCOMBの何れを信号ラインＳに印加させるかを制御するソース切替信号ＳＳを生成してソース切替回路２３Ａに出力する。
【００５３】
ソースドライバ回路２２は、ＬＣＤコントローラ４０Ａから入力される水平制御信号ＨＣに基づいて、反転ＲＧＢ発生回路３０から入力されるＲＧＢ反転信号（輝度信号）を順次サンプリングし、対応する表示信号電圧を生成してソース切替回路２３Ａに出力する。
【００５４】
ソース切替回路２３Ａは、ＬＣＤコントローラ４０Ａから入力されるソース切替信号ＳＳに従って、ソースドライバ回路２２から入力される表示信号電圧、ＶＣＯＭ回路２６Ａから入力される共通電圧ＶCOMA、ＶＣＯＭ回路２６Ｂから入力される共通電圧ＶCOMBの何れかを、水平走査期間毎に、信号ラインＳ1〜Ｓnに印加する
【００５５】
ゲートドライバ回路２４Ａは、ＬＣＤコントローラ４０Ａから入力される垂直制御信号ＶＣ１に基づいて、液晶表示パネル１０Ａの走査ラインＧ1〜Ｇm1に走査信号（ゲートパルス）を順次印加する。また、ゲートドライバ回路２４Ｂは、ＬＣＤコントローラ４０Ａから入力される垂直制御信号ＶＣ２に基づいて、液晶表示パネル１０Ｂの走査ラインＧm+1〜Ｇm1+m2に走査信号（ゲートパルス）を順次印加する。
【００５６】
ＶＣＯＭ回路２６Ａは、液晶表示パネル１０Ａの特性に応じた共通電圧ＶCOMAを生成し、ＬＣＤコントローラ４０Ａから入力される反転制御信号ＦＲＰ１に基づいて極性を反転させて、ＶＣＯＭ切替回路２７Ａ，２７Ｂ及びソース切替回路２３Ａのそれぞれに出力する。また、ＶＣＯＭ回路２６Ｂは、液晶表示パネル１０Ｂの特性に応じた共通電圧ＶCOMBを生成し、ＬＣＤコントローラ４０Ａから入力される反転制御信号ＦＲＰ２に基づいて極性を反転させて、ＶＣＯＭ切替回路２７Ａ，２７Ｂ及びソース切替回路２３Ａのそれぞれに出力する。
【００５７】
ＶＣＯＭ切替回路２７Ａは、ＬＣＤコントローラ４０Ａから入力されるＶＣＯＭ切替信号ＶＳ１に従って、ＶＣＯＭ回路２６Ａから入力される共通電圧ＶCOMA、或いは、ＶＣＯＭ回路２６Ｂから入力される共通電圧ＶCOMBを、共通電圧ＶCOM1として液晶表示パネル１０Ａの共通ラインＣ１に印加する。また、ＶＣＯＭ切替回路２７Ｂは、ＬＣＤコントローラ４０Ａから入力されるＶＣＯＭ切替信号ＶＳ２に従って、ＶＣＯＭ回路２６Ａから入力される共通電圧ＶCOMA、或いは、ＶＣＯＭ回路２６Ｂから入力される共通電圧ＶCOMBを、共通電圧ＶCOM2として液晶表示パネル１０Ｂの共通ラインＣ２に印加する。
【００５８】
＜駆動方法＞
次に、第１実施形態における液晶表示装置１の駆動方法を説明する。
第１実施形態は、液晶表示パネル１０Ａ，１０Ｂのそれぞれが「非表示状態（スタンバイ状態）」或いは「表示状態」であるかに応じた駆動方法である。尚ここでは、液晶表示パネル１０Ａ，１０Ｂをライン反転駆動することとする。
【００５９】
（Ａ）２画面表示の場合
液晶表示パネル１０Ａ，１０Ｂがともに「表示状態」である２画面表示の場合には、図２１に示した駆動波形に従って、従来の駆動方法と同様に駆動される。
【００６０】
即ち、第１画面走査期間では、走査ラインＧ1〜Ｇm1が順に走査され、液晶表示パネル１０Ａへの画像表示が行われる。このとき、信号ラインＳには、液晶表示パネル１０Ａに表示させる画像の表示信号が印加される。また、共通ラインＣ１には、共通電圧ＶCOM1として共通電圧ＶCOMAが印加され、共通ラインＣ２には、共通電圧ＶCOM2として共通電圧ＶCOMBが印加されている。
【００６１】
また、第２画面走査期間では、走査ラインＧm1+1〜Ｇm1+m2が順に走査され、液晶表示パネル１０Ｂへの画像表示が行われる。このとき、信号ラインＳには、液晶表示パネル１０Ｂに表示させる画像の表示信号が印加される。また、第１画面走査期間と同様に、共通ラインＣ１には、共通電圧ＶCOM1として共通電圧ＶCOMAが印加され、共通ラインＣ２には、共通電圧ＶCOM2として共通電圧ＶCOMBが印加されている。
【００６２】
このように、２画面表示の場合には、ＬＣＤコントローラ４０Ａは、ＶＣＯＭ切替回路２７Ａに対して、共通電圧ＶCOMAを共通電圧ＶCOM1として共通ラインＣ１に印加させるＶＣＯＭ切替信号ＶＳ１を出力し、ＶＣＯＭ切替回路２７Ｂに対して、共通電圧ＶCOMBを共通電圧ＶCOM2として共通ラインＣ２に印加させるＶＣＯＭ切替信号ＶＳ２を出力する。また、ソース切替回路２３Ａに対しては、ＲＧＢ反転信号を信号ラインＳに印加させるソース切替信号ＳＳを出力する。
【００６３】
（Ｂ）液晶表示パネル１０Ａが「非表示状態」の場合
図４は、液晶表示パネル１０Ａが「非表示状態」であり、液晶表示パネル１０Ｂが「表示状態」である場合の、１フレーム期間での駆動波形を示す図である。また、図５は、図４の駆動波形で駆動した場合の各液晶表示パネルの状態を説明するための状態図である。図４では、図中上から順に、走査ラインＧ1〜Ｇm1+m2のそれぞれに印加される走査信号、信号ラインＳに印加される表示信号、共通電圧ＶCOM1，ＶCOM2、を示している。
【００６４】
図４に示すように、第１画面走査期間では、液晶表示パネル１０Ａが「非表示状態」であるため、走査ラインＧ1〜Ｇmにはゲートパルスが印加されない。また、信号ラインＳには共通電圧ＶCOMBが印加される。そして、共通ラインＣ１には、共通電圧ＶCOM1として共通電圧ＶCOMBが印加され、共通ラインＣ２には、共通電圧ＶCOM2として共通電圧ＶCOMBが印加される。
【００６５】
つまり、第１画面走査期間では、図５（ａ）に示すように、走査ラインＧ1〜Ｇm1が非選択状態となるので、液晶表示パネル１０Ａでは、薄膜トランジスタ１２の全てがＯＦＦであり、各表示画素の画素電極には電圧が印加されない。従って、液晶表示パネル１０Ａは全画面「白表示」となる。
【００６６】
また、信号ラインＳ1〜Ｓk及び共通ラインＣ１には、ともに共通電圧ＶCOMBが印加されるため、信号ラインＳ1〜Ｓkと共通ラインＣ１との電圧が等しく（＝ＶCOMB）なる。従って、信号ラインＳ1〜Ｓkと共通ラインＣ１との間に形成される寄生容量１８には電圧がかからない（電圧がゼロになる）ため、寄生容量１８での充放電が起こらずに電力消費が発生しない。故に、一方の液晶表示パネルが「非表示状態」の場合の従来の駆動方法と比較して、液晶表示パネル１０Ａ，１０Ｂの駆動にかかる消費電力が削減される。
【００６７】
尚このとき、走査ラインＧm+1〜Ｇm1+m2は非選択状態となっており、液晶表示パネル１０Ｂでは、各画素容量１４に１フレーム前の印加電圧が保持され、従って、直前（１フレーム前）の表示画像を継続して表示している。
【００６８】
次いで、図４において、第２画面走査期間では、走査ラインＧm1+1〜Ｇm1+m2に順次ゲートパルスが印加され、信号ラインＳには、液晶表示パネル１０Ｂに表示させる画像の表示信号が印加される。また、共通ラインＣ１には、共通電圧ＶCOM1として共通電圧ＶCOMBが印加され、共通ラインＣ２には、共通電圧ＶCOM2として共通電圧ＶCOMBが印加される。
【００６９】
つまり、第２画面走査期間では、図５（ｂ）に示すように、走査ラインＧm1+1〜Ｇm1+m2が順次選択状態とされ、その選択状態とされた各信号ラインＧに対応する各表示画素の画素電極に、信号ラインＳに印加されている表示信号が印加される。従って、液晶表示パネル１０Ｂには所望の画像が表示される。尚このとき、走査ラインＧ1〜Ｇm1は非選択状態となっているので、走査ラインＧ1〜Ｇm1に対応する各画素容量１４には、直前（第１画面走査期間）の印加電圧が保持されている。即ち、液晶表示パネル１０Ａは全画面「白表示」となっている。
【００７０】
このように、一方の液晶表示パネル１０Ａが「非表示状態」であり、他方の液晶表示パネル１０Ｂが「表示状態」の場合、ＬＣＤコントローラ４０Ａは、ＶＣＯＭ切替回路２７Ａに対して、共通電圧ＶCOMBを共通電圧ＶCOM1として共通ラインＣ１に印加させるＶＣＯＭ切替信号ＶＳ１を出力し、ＶＣＯＭ切替回路２７Ｂに対して、共通電圧ＶCOMBを共通電圧ＶCOM2として共通ラインＣ２に印加させるＶＣＯＭ切替信号ＶＳ２を出力する。また、ソース切替回路２３Ａに対しては、第１画面走査期間では共通電圧ＶCOMBを信号ラインＳに印加させ、第２画面走査期間ではＲＧＢ反転信号を信号ラインＳに印加させるソース切替信号ＳＳを出力する。このとき、ＶＣＯＭ回路２６Ａの出力信号（共通電圧ＶCOMA）を用いないため、ＶＣＯＭ回路２６Ａの動作を停止させて、消費電力を削減するようにしても良い。
【００７１】
（Ｃ）液晶表示パネル１０Ｂが「非表示状態」の場合
図６は、液晶表示パネル１０Ａが「表示状態」であり、液晶表示パネル１０Ｂが「非表示状態」であるの場合の、１フレーム期間での駆動波形を示す図である。同図においては、横軸を各画面走査期間に対応した時間軸として、上から順に、走査ラインＧ1〜Ｇm1+m2のそれぞれに印加される走査信号、信号ラインＳに印加される表示信号、共通電圧ＶCOM1，ＶCOM2、を示している。
【００７２】
同図に示すように、第１画面走査期間では、走査ラインＧ1〜Ｇm1に順次ゲートパルスが印加され、信号ラインＳには、液晶表示パネル１０Ａに表示させる画像の表示信号が印加される。また、共通ラインＣ１には、共通電圧ＶCOM1として共通電圧ＶCOMAが印加され、共通ラインＣ２には、共通電圧ＶCOM2として共通電圧ＶCOMAが印加される。従って、液晶表示パネル１０Ａには所望の画像の表示がなされる。
【００７３】
第２画面走査期間では、液晶表示パネル１０Ｂが「非表示状態」であるため、走査ラインＧm1+1〜Ｇm1+m2にはゲートパルスが印加されない。従って、液晶表示パネル１０Ｂは全画面「白表示」となる。
【００７４】
また、信号ラインＳには共通電圧ＶCOMAが印加され、共通ラインＣ２には共通電圧ＶCOM2として共通電圧ＶCOMAが印加され、共通ラインＣ１には共通電圧ＶCOM1として共通電圧ＶCOMAが印加される。従って、信号ラインＳ1〜Ｓkと共通ラインＣ２とが同電圧（＝ＶCOMA）となるので、信号ラインＳ1〜Ｓkと共通ラインＣ２との間に形成される寄生容量１８に電圧がかからず、充放電が起こらないため、この寄生容量１８での電力消費が発生しない。故に、一方の液晶表示パネルが「非表示状態」の場合の従来の駆動方法と比較して、液晶表示パネル１０Ａ，１０Ｂの駆動にかかる消費電力が削減される。
【００７５】
つまり、液晶表示パネル１０Ａが「表示状態」であり、液晶表示パネル１０Ｂが「非表示状態」の場合、ＬＣＤコントローラ４０Ａは、ＶＣＯＭ切替回路２７Ａに対して、共通電圧ＶCOM1として共通電圧ＶCOMAを共通ラインＣ１に印加させるＶＣＯＭ切替信号ＶＳ１を出力し、ＶＣＯＭ切替回路２７Ｂに対して、共通電圧ＶCOM2として共通電圧ＶCOMAを共通ラインＣ２に印加させるＶＣＯＭ切替信号ＶＳ２を出力する。また、ソース切替回路２３Ａに対しては、第１画面走査期間ではＲＧＢ反転信号を信号ラインＳに印加させ、第２画面走査期間では共通電圧ＶCOMAを信号ラインＳに印加させるソース切替信号ＳＳを出力する。このとき、ＶＣＯＭ回路２６Ｂの出力信号（共通電圧ＶCOMB）を用いないため、ＶＣＯＭ回路２６Ｂの動作を停止させて、消費電力を削減するようにしても良い。
【００７６】
（Ｄ）リフレッシュ動作時
「非表示状態」の液晶表示パネルでは、「白表示」を維持するために白表示データを書き込むリフレッシュ動作が所定周期で行われる。
【００７７】
（Ｄ−１）液晶表示パネル１０Ａが「非表示状態」の場合
図７は、液晶表示パネル１０Ａが「非表示状態」の場合に、リフレッシュを行う際の１フレーム期間での駆動波形を示す図である。また、図８は、図７の駆動波形で駆動した場合の各液晶表示パネルの状態を説明するための状態図である。図７では、横軸を各画面走査期間に対応した時間軸として、上から順に、走査ラインＧ1〜Ｇm1+m2のそれぞれに印加される走査信号、信号ラインＳに印加される表示信号、共通電圧ＶCOM1，ＶCOM2、を示している。
【００７８】
図７に示すように、第１画面走査期間では、走査ラインＧ1〜Ｇm1に順次ゲートパルスが印加され、信号ラインＳには、液晶表示パネル１０Ａを「白表示」とするための表示信号が印加される。また、共通ラインＣ１には、共通電圧ＶCOM1として共通電圧ＶCOMAが印加され、共通ラインＣ２には、共通電圧ＶCOM2として共通電圧ＶCOMBが印加される。
【００７９】
即ち、図８（ａ）に示すように、走査ラインＧ1〜Ｇm1が順次選択状態とされ、その選択状態とされた各走査ラインＧに対応する各表示画素の画素電極に、信号ラインＳに印加されている「白表示」の表示信号が印加される。従って、液晶表示パネル１０Ａは「白表示」にリフレッシュされる。尚このとき、走査ラインＧm1+1〜Ｇm1+m2は非選択状態となっているので、走査ラインＧ1+1〜Ｇm1+m2に対応する各画素容量１４には、１フレーム前の印加電圧が保持されている。従って、液晶表示パネル１０Ｂには、１フレーム前の表示画像が継続して表示されている。
【００８０】
図７において、第２画面走査期間では、走査ラインＧm1+1〜Ｇm1+m2に順次ゲートパルスが印加され、信号ラインＳには、液晶表示パネル１０Ｂに表示させる画像の表示信号が印加される。また、共通ラインＣ１には、共通電圧ＶCOM1として共通電圧ＶCOMBが印加され、共通ラインＣ２には、共通電圧ＶCOM2として共通電圧ＶCOMBが印加される。
【００８１】
即ち、図８（ｂ）に示すように、走査ラインＧm1+1〜Ｇm1+m2が順次選択状態とされ、その選択状態とされた各走査ラインＧに対応する各表示画素の画素電極に、信号ラインＳに印加されている表示信号が印加される。即ち、液晶表示パネル１０Ｂには、所望の画像が表示される。尚このとき、走査ラインＧ1〜Ｇm1は非選択状態となっているので、液晶表示パネル１０Ａには、直前（第１画面走査期間）の「白表示」が継続されている。
【００８２】
つまり、「非表示状態」である液晶表示パネル１０Ａのリフレッシュ動作時には、ＬＣＤコントローラ４０Ａは、ＶＣＯＭ切替回路２７Ａに対して、第１画面走査期間では共通電圧ＶCOM1として共通電圧ＶCOMAを印加させ、第２画面走査期間では共通電圧ＶCOM2として共通電圧ＶCOMBを印加させるＶＣＯＭ切替信号ＶＳ１を出力し、ＶＣＯＭ切替回路２７Ｂに対して、共通電圧ＶCOM2として共通電圧ＶCOMBを印加指さるＶＣＯＭ切替信号ＶＳ２を出力する。また、ソース切替回路２３Ａに対しては、第１画面走査期間では画面を「白表示」とするための表示信号を信号ラインＳに印加させ、第２画面走査期間では液晶表示パネル１０Ｂに表示させる画像の表示信号を信号ラインＳに印加させるソース切替信号ＳＳを出力する。
【００８３】
（Ｄ−２）液晶表示パネル１０Ｂが「非表示状態」の場合
図９は、液晶表示パネル１０Ｂが「非表示状態」の場合に、リフレッシュ動作を行う際の１フレーム期間での駆動波形を示す図である。同図では、横軸を各画面走査期間に対応する時間軸として、上から順に、走査ラインＧ1〜Ｇm1+m2のそれぞれに印加される走査信号、ソースラインＳに印加される表示信号、共通電圧ＶCOM1，ＶCOM2、を示している。
【００８４】
同図に示すように、第１画面走査期間では、信号ラインＳには、液晶表示パネル１０Ａに表示させる画像の表示信号が印加される。また、共通ラインＣ１には、共通電圧ＶCOM1として共通電圧ＶCOMAが印加され、共通ラインＣ２には、共通電圧ＶCOM2として共通電圧ＶCOMAが印加される。従って、液晶表示パネル１０Ａには所望の画像が表示される。
【００８５】
また、第２画面走査期間では、信号ラインＳには、液晶表示パネル１０Ｂを「白表示」にするための表示信号が印加される。また、共通ラインＣ１には、共通電圧ＶCOM1として共通電圧ＶCOMAが印加され、共通ラインＣ２には、共通電圧ＶCOM2として共通電圧ＶCOMBが印加される。従って、液晶表示パネル１０Ｂは「白表示」にリフレッシュされる。
【００８６】
つまり、「非表示状態」である液晶表示パネル１０Ｂのリフレッシュ動作時には、ＬＣＤコントローラ４０Ａは、ＶＣＯＭ切替回路２７Ａに対して、共通電圧ＶCOM1として共通電圧ＶCOMAを印加させるＶＣＯＭ切替信号ＶＳ１を出力し、ＶＣＯＭ切替回路２７Ｂに対して、第１画面走査期間では共通電圧ＶCOM2として共通電圧ＶCOMAを印加させ、第２画面走査期間では共通電圧ＶCOM2として共通電圧ＶCOMBを印加させるＶＣＯＭ切替信号ＶＳ２を出力する。また、ソース切替回路２３Ａに対しては、第１画面走査期間では液晶表示パネル１０Ａに表示させる画像の表示信号を信号ラインＳに印加させ、第２画面走査期間では画面を「白表示」とさせるための表示信号を信号ラインＳに印加させるソース切替信号ＳＳを出力する。
【００８７】
尚、図７、図９は、各液晶表示パネル１０Ａ，１０Ｂをリフレッシュする際の駆動波形を示したが、各液晶表示パネル１０Ａ，１０Ｂを非表示状態に遷移させる場合も、同様の駆動波形によって駆動できる。
【００８８】
＜作用・効果＞
以上のように、第１実施形態によれば、２つの液晶表示パネル１０Ａ，１０Ｂの内、一方が非表示状態の場合、その非表示状態の液晶表示パネルの走査期間において、共通配線されている信号ラインＳ及び液晶表示パネル１０Ａ，１０Ｂの各共通ラインＣ１，Ｃ２に、他方の液晶表示パネルの共通電圧が印加される。具体的は、液晶表示パネル１０Ａが非表示状態の場合には、第１画面走査期間において、表示信号及び共通電圧ＶCOM1，ＶCOM1を共通電圧ＶCOMBとし、液晶表示パネル１０Ｂが非表示状態の場合には、第２画面走査期間において、表示信号及び共通電圧ＶCOM1，ＶCOM2を共通電圧ＶCOMAとする。
【００８９】
従って、該走査期間の間、信号ラインＳと各共通ラインＣ１，Ｃ２とは同電圧となるので、信号ラインＳと各共通ラインＣ１，Ｃ２との間に形成される寄生容量１８に電圧がかからず、これらの寄生容量１８での電力消費が発生しない。故に、液晶表示パネル１０Ａ，１０Ｂの駆動にかかる電力が、従来の駆動方法と比較して削減される。
【００９０】
＜変形例＞
尚、上述した第１実施形態では、「非表示状態」の液晶表示パネルの走査期間において、信号ラインＳに他方の液晶表示パネルの共通電圧と同一電圧の信号を印加させることとしたが、これを、ハイインピーダンス（ＨｉＺ）とすることとしても良い。
【００９１】
図１０は、第１実施形態における、液晶表示パネル１０Ａが「非表示状態」である場合の駆動波形の変形例を示す図であり、図１１は、図１０の駆動波形で駆動した場合の各液晶表示パネルの状態を説明するための状態図である。また、図１２は、第１実施形態における、液晶表示パネル１０Ｂが「非表示状態」である場合の駆動波形の変形例を示す図であり、図１３は、図１２の駆動波形で駆動した場合の各液晶表示パネルの状態を説明するための状態図である。即ち、液晶表示パネル１０Ａが「非表示状態」の場合には、図１０に示すように、該液晶表示パネル１０Ａを走査対象とする第１画面走査期間において、信号ラインＳへの出力をハイインピーダンス（ＨｉＺ）とする。また、共通ラインＣ１には、共通電圧ＶCOM1として共通電圧ＶCOMBを印加させ、共通ラインＣ２には、共通電圧ＶCOM2として共通電圧ＶCOMBを印加させる。
【００９２】
従って、図１１に示すように、信号ラインＳ1〜Ｓkがハイインピーダンス状態であり、且つ、この信号ラインＳ1〜Ｓkと交差する各共通ラインＣ１，Ｃ２それぞれがともに同電圧（＝ＶCOMB）となるので、信号ラインＳ1〜Ｓkと共通ラインＣ１，Ｃ２との間には寄生容量１８が形成されない。即ち、これら寄生容量１８での電力消費が発生しない。このため、一方の液晶表示パネルが「非表示状態」の場合の従来の駆動方法と比較して、液晶表示パネル１０Ａ，１０Ｂの駆動にかかる消費電力の削減が実現される。
【００９３】
また、液晶表示パネル１０Ｂが「非表示状態」の場合には、図１２に示すように、該液晶表示パネル１０Ｂを走査対象とする第２画面走査期間において、信号ラインＳへの出力をハイインピーダンス（ＨｉＺ）とする。また、共通ラインＣ１には、共通電圧ＶCOM1として共通電圧ＶCOMAを印加させ、共通ラインＣ２には、共通電圧ＶCOM2として共通電圧ＶCOMAを印加させる。
【００９４】
従って、図１３に示すように、信号ラインＳ1〜Ｓkがハイインピーダンス状態であり、且つ、この信号ラインＳ1〜Ｓkと交差する各共通ラインＣ１，Ｃ２それぞれがともに同電圧（＝ＶCOMA）となるので、信号ラインＳ1〜Ｓkと共通ラインＣ１，Ｃ２との間には寄生容量１８が形成されない。即ち、これら寄生容量１８での電力消費が発生しない。このため、一方の液晶表示パネルを「非表示状態」の場合の従来の駆動方法と比較して、液晶表示パネル１０Ａ，１０Ｂの駆動にかかる消費電力の削減が実現される。
【００９５】
また、上述した第１実施形態においては、ＶＣＯＭ切替回路２７Ａ，２７ＢによってＶＣＯＭ回路２６Ａ，２６Ｂの出力信号（共通電圧ＶCOMA，ＶCOMB）を切り替える構成としたが、これに限らず、ＶＣＯＭ切替回路２７Ａ，２７Ｂを備えず、ＶＣＯＭ回路２６Ａ，２６Ｂの設定を適宜変えて、ＶＣＯＭ回路２６Ａ，２６Ｂから所望の出力信号（共通電圧ＶCOMA，ＶCOMB）を出力させるようにしても良い。
【００９６】
更に、上述した第１実施形態においては、ソース切替回路２３Ａを備えて、ソースドライバ回路２２から入力される表示信号電圧、ＶＣＯＭ回路２６Ａ，２６Ｂから入力される共通電圧ＶCOMA，ＶCOMBの何れかを切り替えて、信号ラインＳに印加する構成としたが、これに限らず、ソースドライバ回路２２の設定を適宜変えて、ソースドライバ回路２２から共通電圧ＶCOMA、ＶCOMBと同一の信号を出力させるようにしても良い。
【００９７】
［第２実施形態］
次に、第２実施形態を説明する。
尚、第２実施形態において、上述した第１実施形態と同一の構成要素については同符合を付し、詳細な説明を省略或いは簡略する。
【００９８】
＜構成＞
図１４は、第２実施形態における液晶表示装置１の全体構成を示すブロック図である。同図に示すように、第２実施形態では、液晶表示装置１は、液晶表示パネル１０Ａ，１０Ｂと、ソースドライバ回路２２と、ソース切替回路２３Ｂと、ゲートドライバ回路２４Ａ，２４Ｂと、ＶＣＯＭ回路２６Ａ，２６Ｂと、反転ＲＧＢ発生回路３０と、ＬＣＤコントローラ４０Ｂと、を備えて構成される。
【００９９】
図１５は、各液晶表示パネルの等価回路を示す回路構成図である。同図に示すように、液晶表示パネル１０Ａには、「ｍ１」本の走査ラインＧ1〜Ｇm1、及び、「ｉ」本の信号ラインＳ1〜Ｓiが直交するように配置され、この走査ラインＧ1〜Ｇm1と信号ラインＳ１〜Ｓｉの各交点近傍に表示画素が形成されている。即ち、液晶表示パネル１０Ａには、画素数「ｉ×ｍ１」の第１画面が形成されている。また、各表示画素の画素電極には共通ラインＣ１が接続され、この共通ラインＣ１を介して、ＶＣＯＭ回路２６Ａから出力される共通電圧ＶCOM1が印加されている。
【０１００】
また、液晶表示パネル１０Ｂには、「ｍ２」本の走査ラインGm1+1〜Ｇm1+m2、及び、「ｊ」本の信号ラインＳ1〜Ｓjが直交するように配置され、この走査ラインＧm1+1〜Ｇm1+m2と信号ラインＳ1〜Ｓjの各交点近傍に表示画素が形成されている。但し、ｊ＞ｉ、とする。即ち、液晶表示パネル１０Ｂには、画素数「ｊ×ｍ２」の第２画面が形成されている。また、各表示画素の画素電極には共通ラインＣ２が接続され、この共通ラインＣ２を介して、ＶＣＯＭ回路２６Ｂから出力される共通電圧ＶCOM2が印加されている。
【０１０１】
また、液晶表示パネル１０Ｂに配線されている信号ラインＳ1〜Ｓjの内、ｉ本の信号ラインＳ１〜Ｓｉが、フレキシブルプリント基板ＦＰＣを介して液晶表示パネル１０Ａに延長され、配線されている。即ち、第２実施形態の液晶表示装置１では、信号ラインＳ1〜Ｓjの内、「ｉ」本の信号ラインＳ1〜Ｓiが液晶表示パネル１０Ａ，１０Ｂに共通して配線され、残りの信号ラインＳi+1〜Ｓjが表示パネルＢのみに配線されている。
【０１０２】
図１４において、ＶＣＯＭ回路２６Ａは、液晶表示パネル１０Ａの特性に応じた共通電圧ＶCOM1を生成し、ＬＣＤコントローラ４０Ｂから入力される反転制御信号ＦＲＰ１に従って極性反転させて、共通ラインＣ１に印加する。ＶＣＯＭ回路２６Ｂは、液晶表示パネル１０Ｂの特性に応じた共通電圧ＶCOM2を生成し、ＬＣＤコントローラ４０Ｂから入力される反転制御信号ＦＲＰ２に従って極性反転させて、共通ラインＣ２に印加するとともに、ソース切替回路２３Ｂに出力する。
【０１０３】
また、第２実施形態では、ソースドライバ回路２２から出力される表示信号電圧の内、信号ラインＳi+1〜Ｓjに印加させる信号電圧は、ソース切替回路２３Ｂに出力される。そして、ソース切替回路２３Ｂは、ＬＣＤコントローラ４０Ｂから入力される出力切替信号に従って、ソースドライバ回路２２から入力される表示信号電圧、或いは、ＶＣＯＭ回路２６Ｂから入力される共通電圧ＶCOM2を、信号ラインＳi+1〜Ｓjに印加する。
【０１０４】
＜駆動方法＞
次に、第２実施形態における液晶表示装置１の駆動方法を説明する。
図１６は、第２実施形態における液晶表示装置１の、１フレーム期間での駆動波形を示す図である。また、図１７は、図１６の駆動波形で駆動した場合の各液晶表示パネルの状態を説明するための状態図である。図１６では、横軸を各画面走査期間に対応した時間軸として、上から順に、走査ラインＧ1〜Ｇm1+m2のそれぞれに印加される走査信号、信号ラインＳ1〜Ｓiに印加される表示信号、信号ラインＳi+1〜Ｓjに印加される表示信号、共通電圧ＶCOM1，ＶCOM2、を示している。
【０１０５】
同図に示すように、第１画面走査期間では、走査ラインＧ1〜Ｇm1に順次ゲートパルスが印加される。また、信号ラインＳ1〜Ｓiには、液晶表示パネル１０Ａに表示させる画像の表示信号が印加され、信号ラインＳi+1〜Ｓjには、共通電圧ＶCOM2が印加される。そして、共通ラインＣ１には共通電圧ＶCOM1が印加され、共通ラインＣ２には共通電圧ＶCOM2が印加される。
【０１０６】
即ち、図１７に示すように、走査ラインＧ1〜Ｇm1が順次選択状態となり、その選択状態とされた各走査ラインＧに、信号ラインＳに印加されている表示信号が印加される。従って、液晶表示パネル１０Ａは所望の画像が表示される。
【０１０７】
一方、第１画面走査期間における液晶表示パネル１０Ｂにおいては、走査ラインGm1+1〜Ｇm1+m2は非選択状態であり、従って、直前（１フレーム前）の表示画像が継続して表示されている。また、信号ラインＳi+1〜Ｓj及び共通ラインＣ２には、ともに共通電圧ＶCOM2が印加されるため、信号ラインＳi+1〜Ｓjと共通ラインＣ２との電圧が等しく（＝ＶCOM2）となっている。従って、信号ラインＳi+1〜Ｓjと共通ラインＣ２との間に形成される寄生容量１８に電圧がかからない（電圧がゼロになる）ため、寄生容量１８での充放電が起こらずに電力消費が発生しない。故に、従来の駆動方法と比較して、液晶表示パネル１０Ａ，１０Ｂの駆動にかかる消費電力が削減される。
【０１０８】
図１６において、第２画面走査期間では、走査ラインＧm1+1〜Ｇm1+m2に順次ゲートパルスが印加され、信号ラインＳ1〜Ｓi，Ｓi+1〜Ｓjには、液晶表示パネル２に表示させる画像の表示信号が印加される。従って、液晶表示パネル１０Ｂには、所望の画像が表示される。
【０１０９】
＜作用・効果＞
以上のように、第２実施形態によれば、液晶表示パネル１０Ｂよりも信号ライン数が少ない液晶表示パネル１０Ａの走査期間において、液晶表示パネル１０Ａに配線されていない（不使用の）信号ラインＳi+1〜Ｓjに、液晶表示パネル１０Ｂの共通電圧ＶCOM2が印加される。従って、該走査期間の間、信号ラインＳi+1〜Ｓjと共通ラインＣ２とは同電圧（＝ＶCOM2）となるので、信号ラインＳi+1〜Ｓjと共通ラインＣ２との間に形成される寄生容量１８に電圧がかからず、これらの寄生容量１８での電力消費が発生しない。故に、液晶表示パネル１０Ａ，１０Ｂの駆動にかかる電力が、従来の駆動方法と比較して削減される。
【０１１０】
＜変形例＞
尚、上述した第２実施形態では、液晶表示パネル１０Ａを走査対象とする第１画面走査期間において、信号ラインＳi+1〜Ｓjに液晶表示パネル１０Ｂの共通電圧ＶCOM2と同一電圧を印加することとしたが、これを、ハイインピーダンス（ＨｉＺ）としても良い。
【０１１１】
図１８は、第２実施形態における駆動波形の変形例を示す図であり、図１９は、図１８の駆動波形で駆動した場合の各液晶表示パネルの状態を説明する場合の状態図である。即ち、図１８に示すように、第１画面走査期間において、信号ラインＳi+1〜Ｓjへの出力をハイインピーダンス（ＨｉＺ）とする。従って、図１９に示すように、信号ラインＳi+1〜Ｓjがハイインピーダンス状態であり、且つ、この信号ラインＳi+1〜Ｓjに直交する共通ラインＣ２の電圧が等しく（＝ＶCOM2）なる。このため、信号ラインＳi+1〜Ｓjと共通ラインＣ２との間には寄生容量１８が形成されない。即ち、これら寄生容量１８による電力消費が発生しない。故に、従来の駆動方法と比較して、信号ライン数が異なる液晶表示パネル１０Ａ，１０Ｂの駆動にかかる消費電力が削減される。
【０１１２】
また、上述した第２実施形態においては、ソース切替回路２３Ｂを備えて、ソースドライバ回路２２から入力される表示信号電圧及びＶＣＯＭ回路２６Ａから入力される共通電圧ＶCOMAの何れかを切り替えて、信号ラインＳに印加する構成としたが、これに限らず、ソースドライバ回路２２の設定を適宜変えて、ソースドライバ回路２２から共通電圧ＶCOMAと同一の信号を出力させるようにしても良い。
【図面の簡単な説明】
【０１１３】
【図１】液晶表示装置の概略構成図。
【図２】第１実施形態における液晶表示装置の全体構成図。
【図３】各液晶表示パネルの等価回路図。
【図４】一方の液晶表示パネルが非表示状態の場合の駆動波形図。
【図５】図４の駆動波形で駆動した場合の各液晶表示パネルの状態図。
【図６】他方の液晶表示パネルが非表示状態の場合の駆動波形図。
【図７】一方の液晶表示パネルが非表示状態の場合のリフレッシュ動作時の駆動波形図。
【図８】図７の駆動波形で駆動した場合の各液晶表示パネルの状態図。
【図９】他方の液晶表示パネルが非表示状態の場合のリフレッシュ動作時の駆動波形図。
【図１０】第１実施形態における駆動波形の変形例。
【図１１】図１０の駆動波形で駆動した場合の各液晶表示パネルの状態図。
【図１２】第１実施形態における駆動波形の変形例。
【図１３】図１２の駆動波形で駆動した場合の各液晶表示パネルの状態図。
【図１４】第２実施形態における液晶表示装置の全体構成図。
【図１５】各液晶表示パネルの等価回路図。
【図１６】第２実施形態における駆動波形図。
【図１７】図１６の駆動波形で駆動した場合の各液晶表示パネルの状態図。
【図１８】第２実施形態における駆動波形の変形例。
【図１９】図１８の駆動波形で駆動した場合の各液晶表示パネルの状態図。
【図２０】表示画素の等価回路図。
【図２１】従来の２つの液晶表示パネルの駆動波形図。
【図２２】表示画素の寄生容量を示す等価回路図。
【図２３】信号ラインが異なる２つの液晶表示パネルの回路構成図。
【符号の説明】
【０１１４】
１  液晶表示装置
１０Ａ，１０Ｂ  液晶表示パネル
Ｇ（Ｇ１〜Ｇｍ〜Ｇｎ）  走査ライン
Ｓ（Ｓ１〜Ｓｋ、Ｓ１〜Ｓｉ〜Ｓｊ）  信号ライン
Ｃ（Ｃ１，Ｃ２）  共通ライン
１２  薄膜トランジスタ（ＴＦＴ）
１４  画素容量
１４ａ  画素電極
１４ｂ  対向電極
１６  補助容量
１８  寄生容量
２０  ドライバ（駆動回路）
２２  ソースドライバ回路
２３Ａ，２３Ｂ  ソース切替回路
２４Ａ，２４Ｂ  ゲートドライバ回路
２６Ａ，２６Ｂ  ＶＣＯＭ回路
２７Ａ，２７Ｂ  ＶＣＯＭ切替回路
３０  反転ＲＧＢ発生回路
４０Ａ，４０Ｂ  ＬＣＤコントローラ
【図１】
2006072214.tif 000003
【図２】
2006072214.tif 000004
【図３】
2006072214.tif 000005
【図４】
2006072214.tif 000006
【図５】
2006072214.tif 000007
【図６】
2006072214.tif 000008
【図７】
2006072214.tif 000009
【図８】
2006072214.tif 000010
【図９】
2006072214.tif 000011
【図１０】
2006072214.tif 000012
【図１１】
2006072214.tif 000013
【図１２】
2006072214.tif 000014
【図１３】
2006072214.tif 000015
【図１４】
2006072214.tif 000016
【図１５】
2006072214.tif 000017
【図１６】
2006072214.tif 000018
【図１７】
2006072214.tif 000019
【図１８】
2006072214.tif 000020
【図１９】
2006072214.tif 000021
【図２０】
2006072214.tif 000022
【図２１】
2006072214.tif 000023
【図２２】
2006072214.tif 000024
【図２３】
2006072214.tif 000025